(57)【要約】【課題】ケーブルを適切に配線可能な筐体を提供する。【解決手段】ケーブル１０を介して外部の機器に接続する電子部品を収納する筐体１１０であって、ケーブル１０が抜き差しされる接続端子１６２と、前記接続端子１６２からケーブル１０を抜く方向に延びて、前記接続端子１６２に接続されるケーブル１０を収納するケーブル接続溝１６０とを備え、前記ケーブル接続溝１６０は、ケーブル配線溝１９０に通じる配線開口１７４と、前記接続端子１６２に対向し、前記配線開口１７４より前記接続端子１６２から離れた位置まで形成されている窪み部１７２とを備える。【選択図】図９
2018133541.tif 000002
【特許請求の範囲】
【請求項１】
ケーブルを介して外部の機器に接続する電子部品を収納する筐体であって、
ケーブルが抜き差しされる接続端子と、
前記接続端子からケーブルを抜く方向に延びて、前記接続端子に接続されるケーブルを収納するケーブル接続溝とを備え、
前記ケーブル接続溝は、ケーブル配線溝に通じる配線開口と、前記接続端子に対向し、前記配線開口より前記接続端子から離れた位置まで形成されている窪み部とを備えることを特徴とする筐体。
【請求項２】
前記窪み部は、前記接続端子から離れるほど幅が狭くなる先細り状に形成されていることを特徴とする請求項１に記載の筐体。
【請求項３】
前記ケーブル接続溝は、前記接続端子と前記配線開口との間に形成され、前記接続端子に抜き差しされるケーブルを収納する端子接続部を備え、
前記窪み部の深さは前記端子接続部の深さより小さいことを特徴とする請求項１または２に記載の筐体。
【請求項４】
電気設備の操作に用いられるリモコン装置であって、
請求項１から３のいずれかに記載の筐体を備えることを特徴とするリモコン装置。
【発明の詳細な説明】
【技術分野】
【０００１】
本発明は、電子部品を収納する筐体およびそれを備えるリモコン装置に関する。
【背景技術】
【０００２】
他の機器にケーブルを介して接続される電子機器は、筐体の内部にケーブルを配線するための構造が設けられる（例えば、特許文献１参照）。
【先行技術文献】
【特許文献】
【０００３】
【特許文献１】特開２００４−３３６４１８号公報
【発明の概要】
【発明が解決しようとする課題】
【０００４】
筐体におけるケーブルの配線には、引き回しが容易で、ケーブルにかかる負荷を低減して損傷や性能劣化を抑制する適切な構造が求められる。
【０００５】
本発明はこうした状況に鑑みなされたものであり、その目的は、ケーブルを適切に配線可能な筐体を提供することにある。
【課題を解決するための手段】
【０００６】
上記課題を解決するために、本発明のある態様の筐体は、ケーブルが抜き差しされる接続端子と、前記接続端子からケーブルを抜く方向に延びて、前記接続端子に接続されるケーブルを収納するケーブル接続溝とを備え、前記ケーブル接続溝は、ケーブル配線溝に通じる配線開口と、前記接続端子に対向し、前記配線開口より前記接続端子から離れた位置まで形成されている窪み部とを備える。
【発明の効果】
【０００７】
本発明によれば、ケーブルを適切に配線可能な筐体を提供できる。
【図面の簡単な説明】
【０００８】
【図１】本発明の実施例に係るリモコン装置および電気設備を示す図である。
【図２】図１のリモコン装置の正面図である。
【図３】図１のリモコン装置の底面図である。
【図４】図１のリモコン装置の背面図である。
【図５】図１のリモコン装置から端子カバーおよび取り付け金具を取り外した背面図である。
【図６】図１のリモコン装置の第１ケーブル収納溝を含む拡大背面図である。
【図７】図１のリモコン装置における露出配線について説明するための図である。
【図８】図１のリモコン装置における壁内配線について説明するための図である。
【図９】図１のリモコン装置の第２ケーブル収納溝を含む拡大背面図である。
【図１０】図５のリモコン装置のＡ−Ａ断面図である。
【発明を実施するための形態】
【０００９】
以下の実施例では、同一の構成要素に同一の符号を付し、重複する説明を省略する。また、各図面では、説明の便宜のため、構成要素の一部を適宜省略する。
【００１０】
本発明の実施例を具体的に説明する前に、図１を用いて実施例の概要を説明する。実施例は、ケーブル１０を介して電気設備１０００に接続されるリモコン装置１００に関する。電気設備１０００の一例は電力変換器である。リモコン装置１００は、屋内の壁面に取り付けられ、屋外に設置された電気設備への各種入力操作を使用者から受け付ける。ケーブル１０は、リモコン装置１００と電気設備１０００との接続線や、電気設備１０００の周辺機器とリモコン装置１００との接続線である。
【００１１】
リモコン装置１００は、ケーブル１０が接続される電子部品を収納する筐体を備える。筐体には、施工作業や保守作業などの作業効率を高めるとともに、ケーブルの損傷や性能劣化といった不具合を抑制することが求められる。本実施例では、これらの点を改善してケーブルを適切に配線できるリモコン装置１００の筐体について説明する。
【００１２】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。
【００１３】
図２から図６を使用しながら、リモコン装置１００の筐体の構造を説明する。各図に示すように、ｘ軸、ｙ軸、ｚ軸からなる直交座標系が規定される。ｘ軸、ｙ軸は、リモコン装置１００の背面内において互いに直交する。ｚ軸は、ｘ軸およびｙ軸に垂直な方向に延びる。また、ｘ軸、ｙ軸、ｚ軸のそれぞれの正の方向は、各図における矢印の方向に規定され、負の方向は、矢印と逆向きの方向に規定される。ｘ軸の正方向側を「右側」、ｘ軸の負方向側を「左側」ということもある。また、ｚ軸の正方向側を「前側」あるいは「正面側」、ｚ軸の負方向側を「後側」あるいは「背面側」、ｙ軸の正方向側を「上側」あるいは「天面側」、ｙ軸の負方向側を「下側」あるいは「底面側」ということもある。
【００１４】
図２は、本発明の実施例にかかるリモコン装置１００を示す正面図である。図３は、リモコン装置１００の底面図である。図４は、リモコン装置１００の背面図である。リモコン装置１００は、天面側が上で底面側が下となり、背面が壁面に対向するように建物内の立壁に取り付けられる。なお、リモコン装置１００の取付姿勢はこれに限られない。
【００１５】
リモコン装置１００は、ケーブルを介して電気設備１０００に接続される電子部品を収納する筐体１１０を備える。筐体１１０は、上ケース１１２と下ケース１１４との間に、ＣＰＵや、スイッチ、接続端子などが実装されたプリント基板を収納する。上ケース１１２および下ケース１１４は、それぞれ樹脂成形品であり、複数のネジにより互いに固定されている。また、筐体１１０は、ディスプレイ１１１を画面が露出するように収納する。ディスプレイ１１１は、電気設備１０００の操作メニューや各種情報を表示する。
【００１６】
筐体１１０には、使用者がディスプレイ１１１に表示される画像にしたがって各種操作をするための複数のボタンが設けられている。筐体１１０の正面側には、各ボタンに対応する位置に操作内容が描かれたカバーシート１１６が貼り付けられている。使用者は、カバーシート１１６の上から、以下で説明する各ボタンを押してリモコン装置１００を操作できる。
【００１７】
メニュー／戻るボタン１１８は、ディスプレイ１１１にメニュー画面を表示させたり、操作画面からメニュー画面に戻ったりする際に使用される。運転／停止ボタン１２０は、電気設備１０００を運転させたり停止させたりする際に使用される。積算表示ボタン１２２は、使用した積算電力量を表示させる際に使用される。お知らせ／ブザー停止ボタン１２４は、サービスセンターからのお知らせを表示させたり、異常が生じた場合に鳴るブザーを停止させたりする際に使用される。方向ボタン１２６は、ディスプレイ１１１に表示されているメニューの選択操作などに使用される。決定ボタン１２８は、各種操作を決定する際に使用される。
【００１８】
筐体１１０の底面側には、図３に示す側面開口１３０が形成されている。側面開口１３０には、ケーブルが壁面に沿って配線される場合に、開口カバー１３２が取り外されてケーブルが通される。ケーブルが壁内に配線される場合には、開口カバー１３２が側面開口１３０を覆い、筐体１１０の内部への塵埃の侵入を低減する。
【００１９】
筐体１１０の下ケース１１４には、図４に示す取付金具１３４および端子カバー１３８が取り付けられている。取付金具１３４は、リモコン装置１００が取り付けられる壁面に固定されて筐体１１０を支持する。取付金具１３４は、壁内に配線される場合にケーブルが通される背面開口１３６を備える。端子カバー１３８は、下ケース１１４に固定されて、ケーブルが接続される接続端子を覆う。
【００２０】
図５は、リモコン装置１００の取付金具１３４および端子カバー１３８を取り外した背面図である。筐体１１０の下ケース１１４は、端子収納部１４０、ケーブル収納溝１５０、ケーブル接続溝１６０、およびケーブル配線溝１９０を備える。端子収納部１４０および各溝１５０、１６０、１９０は、それぞれ上ケース１１２に向かって窪むように形成されている。
【００２１】
端子収納部１４０は、接続端子として電気設備端子１４２および周辺機器端子１４４を収納する。ケーブル収納溝１５０は、側面開口１３０または取付金具１３４の背面開口１３６を通って端子収納部１４０に配線されるケーブルを収納する。また、背面開口１３６を通ってケーブル接続溝１６０に配線されるケーブルを収納する。ケーブル接続溝１６０は、接続端子としてのコネクタ端子１６２に接続されるケーブルを収納する。
【００２２】
図６から図８を使用しながら、リモコン装置１００におけるケーブルの配線構造を説明する。図６に示すように、ケーブル収納溝１５０の下側壁１５２には、第１屈曲面１５４および第２屈曲面１５６が形成されている。第１屈曲面１５４は、側面開口１３０から電気設備端子１４２に向かって屈曲する。第２屈曲面１５６は、第１屈曲面１５４より側面開口１３０側に形成されており、ケーブル接続溝１６０から図６には不図示の背面開口１３６に向かって屈曲する。第１屈曲面１５４は、ケーブル収納溝１５０の上側壁１５８に向かって膨らむ凸状面である。第２屈曲面１５６は、上側壁１５８に対して窪む凹状面である。
【００２３】
第１屈曲面１５４の延長線に沿った位置であって、第２屈曲面１５６に対向する位置に、支持片１８０が形成されている。支持片１８０は、平板部１８２、突出部１８４、１８６を備える。平板部１８２は、ケーブル収納溝１５０の底面からリモコン装置１００の背面側に向かって延びて、第１屈曲面１５４の延長線に沿って屈曲する。突出部１８４、１８６は、それぞれ平板部１８２の側端部から第２屈曲面１５６に向かって突出する。
【００２４】
ケーブル収納溝１５０の上側壁１５８には、第３屈曲面１６４が形成されている。第３屈曲面１６４は、側面開口１３０から周辺機器端子１４４に向かって屈曲する。第３屈曲面１６４は、下側壁１５２に対して窪む凹状面である。
【００２５】
ケーブル配線溝１９０は、下側の開口壁１９２および上側の収納壁１９４により規定される。開口壁１９２は、側面開口１３０からケーブル接続溝１６０につながる。収納壁１９４は、ケーブル収納溝１５０からケーブル接続溝１６０につながる。収納壁１９４は、ケーブル収納溝１５０の第２屈曲面１５６の延長線に沿って屈曲する。ケーブル配線溝１９０には、仕切り片１９６が形成されている。仕切り片１９６は、ケーブル配線溝１９０の底面からリモコン装置１００の背面側に延びて、開口壁１９２および収納壁１９４のそれぞれとの間にケーブルが通る配線経路を形成する。
【００２６】
図７は、側面開口１３０からケーブルが配線された状態を示す図である。リモコン装置１００が取り付けられている壁面に沿ってケーブルが引き回される場合、ケーブルは側面開口１３０を通って接続端子に接続される。本明細書では、このようにリモコン装置１００から壁の室内側にケーブルが露出する配線形態を、露出配線と呼ぶ。
【００２７】
本実施例におけるリモコン装置１００には、図７に示すように最大で４本のケーブル１０が配線される。ケーブル１０ａは、電気設備１０００との接続線である。ケーブル１０ａは、ケーブル収納溝１５０の下側壁１５２の第１屈曲面１５４および支持片１８０の平板部１８２の上面に沿って配線される。支持片１８０は、第２屈曲面１５６に対向する位置でケーブル１０ａが反対側に曲がるのを防ぎ、第１屈曲面１５４に沿って曲げ半径を維持するようにケーブル１０ａを支持する。このため、配線による負荷を低減してケーブル１０ａが損傷して性能が劣化するのを抑制できる。また、ケーブル１０ａを引き回す際に、大きな負荷をかけずに整えることができるため、配線作業を容易に行うことが可能になる。
【００２８】
ケーブル１０ｂ、１０ｃは、電気設備１０００の周辺機器との接続線である。ケーブル１０ｂは、ケーブル収納溝１５０の上側壁１５８の第３屈曲面１６４に沿って配線される。ケーブル１０ｃは、ケーブル１０ｂの下側壁１５２側に沿って配線される。ケーブル１０ｂ、１０ｃを第３屈曲面１６４に沿って順に引き回すことで、ケーブル１０ａと同様に各ケーブルにかかる負荷を低減できる。
【００２９】
ケーブル１０ｄは、コネクタ端子１６２に接続されるＬＡＮ（Local Area Network）ケーブルである。リモコン装置１００は、ケーブル１０ｄを介してインターネットに接続し、サービスセンターとの間で各種データを送受信する。ケーブル１０ｄは、コネクタ端子１６２に抜き差しされるコネクタ１２を備え、仕切り片１９６とケーブル配線溝１９０の開口壁１９２との間を通って配線される。開口壁１９２は、ケーブル接続溝１６０から側面開口１３０に向かって屈曲している。開口壁１９２に沿って配線することで、他のケーブルと同様にケーブル１０ｄにかかる負荷を低減できる。
【００３０】
ここで、ケーブル収納溝１５０の下側壁１５２の第１屈曲面１５４および第２屈曲面１５６、上側壁１５８の第３屈曲面１６４、ケーブル配線溝１９０の開口壁１９２は、ケーブルが緩やかに湾曲するように可能な範囲で曲率半径を大きくする。具体的には、それぞれに沿って配線されるケーブルの直径の４倍以上とする。これにより、各ケーブル１０にかかる負荷をより確実に低減し、損傷や性能劣化を抑制できる。
【００３１】
図８は、背面開口１３６からケーブルが配線された状態を示す図である。リモコン装置１００が取り付けられている壁内からケーブルが引き回される場合、各ケーブルは背面開口１３６を通って接続端子に接続される。本明細書では、このようにケーブルが壁内から引き回される配線形態を、壁内配線と呼ぶ。壁内配線は、ケーブルが壁の室内側に露出しないため外観が向上する。
【００３２】
壁内配線において、ケーブル１０ｄは、コネクタ端子１６２に接続されて、ケーブル接続溝１６０からケーブル収納溝１５０を通って背面開口１３６まで半円を描くように配線される。ケーブル１０ｄは、ケーブル配線溝１９０では、収納壁１９４と仕切り片１９６との間を通る。また、ケーブル収納溝１５０では、下側壁１５２の第２屈曲面１５６と支持片１８０の突出部１８４、１８６との間を通る。ケーブル配線溝１９０の収納壁１９４は、第２屈曲面１５６の延長線に沿って屈曲する。ケーブル１０ｄを第２屈曲面１５６および収納壁１９４に沿って引き回すことで、壁内配線でも過度に曲げることなく配線できる。このため、露出配線と同様の効果が得られる。また、第２屈曲面１５６および収納壁１９４の曲率半径をケーブル１０ｄの直径の４倍以上とすることで、ケーブル１０ｄにかかる負荷をより確実に低減できる。さらに、支持片１８０と第２屈曲面１５６との間に通すことでケーブル１０ｄを簡単に整えることが可能であり、配線作業が容易になり作業効率が向上する。
【００３３】
次に、図９および図１０を使用しながら、ケーブル接続溝１６０の構造について説明する。図９は、ケーブル接続溝１６０の拡大図である。図１０は、図５のＡ−Ａ断面図である。ケーブル１０ｄが壁内配線された状態を示して説明するが、露出配線でも同様である。ケーブル接続溝１６０は、コネクタ端子１６２からケーブル１０ｄを抜く方向に延びて、コネクタ端子１６２に接続されたケーブル１０ｄを収納する。ケーブル接続溝１６０は、端子接続部１７０、窪み部１７２を備える。
【００３４】
端子接続部１７０は、コネクタ端子１６２と、ケーブル配線溝１９０に通じる配線開口１７４との間に形成され、コネクタ端子１６２に抜き差しされるケーブル１０ｄを収納する。
【００３５】
窪み部１７２は、コネクタ端子１６２に対向して形成され、端子接続部１７０の下側に通じている。窪み部１７２は、配線開口１７４よりコネクタ端子１６２から離れた位置まで形成されている。この構成により、ケーブル１０ｄをコネクタ端子１６２に抜き差しする際に、窪み部１７２に指を入れて簡単に配線作業を行うことができる。リモコン装置１００を小型化して端子接続部１７０の大きさを充分に確保できない場合に、窪み部１７２は配線の作業性を改善する上で有効である。
【００３６】
窪み部１７２は、コネクタ端子１６２から離れるほど幅が狭くなる先細り状に形成されている。さらに、図１０に示すように、窪み部１７２の深さＤ１は、端子接続部１７０の深さＤ２より小さい。この構成により、プリント基板１７６に部品を実装する空間や、上ケース１１２と下ケース１１４との固定構造を形成する空間を筐体１１０内に確保できる。リモコン装置１００を小型化する場合に有効である。
【００３７】
以上、本実施例によればケーブルを適切に配線可能な筐体１１０およびそれを備えるリモコン装置１００を提供できる。ケーブルをいずれかの屈曲面に沿って配線することで、ケーブルが過度に曲がるのを抑制して負荷を低減し、ケーブルの損傷や性能劣化を抑制できる。屈曲面に沿って引き回すことでケーブルを簡単に整えることができるため、容易に配線作業を行うことが可能になる。また、露出配線および壁内配線に対応する屈曲面が形成されており、両方の配線形態でケーブルを適切に配線できる。さらに、ケーブル接続溝１６０に窪み部１７２が形成されており、ケーブルとコネクタ端子１６２との配線作業を容易に行うことができる。また、ケーブルにかかる負荷を低減してコネクタ端子１６２に抜き差しすることができる。
【００３８】
本発明の一態様の概要は、次の通りである。
［項目１−１］
ケーブル（１０）を介して外部の機器に接続する電子部品を収納する筐体（１１０）であって、
本体側面からケーブル（１０）が通される側面開口（１３０）と、
ケーブル（１０）が接続される接続端子（１４２、１４４）と、
配線されるケーブル（１０）を収納するケーブル収納溝（１５０）とを備え、
前記ケーブル収納溝（１５０）は、少なくとも一方の側壁（１５２、１５８）に、前記側面開口（１３０）から前記接続端子（１４２、１４４）に向かって屈曲する屈曲面（１５４、１６４）が形成されていることを特徴とする筐体（１１０）。
【００３９】
［項目１−２］
前記屈曲面（１５４、１６４）の曲率半径は、前記屈曲面（１５４、１６４）に沿って配線されるケーブル（１０）の直径の４倍以上であることを特徴とする項目（１−１）に記載の筐体（１１０）。
【００４０】
［項目１−３］
本体背面からケーブル（１０）が通される背面開口（１３６）と、
ケーブル（１０）が接続される副接続端子（１６２）とをさらに備え、
前記ケーブル収納溝（１５０）は、前記屈曲面（１５４）が形成されている側壁（１５２）に、前記背面開口（１３６）から前記副接続端子（１６２）に向かって屈曲する補助屈曲面（１５６）が形成されている
ことを特徴とする項目（１−１）または（１−２）に記載の筐体（１１０）。
【００４１】
［項目１−４］
前記補助屈曲面（１５６）の曲率半径は、前記補助屈曲面（１５６）に沿って配線されるケーブル（１０）の直径の４倍以上であることを特徴とする項目（１−３）に記載の筐体（１１０）。
【００４２】
［項目１−５］
前記屈曲面（１５４）は反対側の側壁（１５８）に向かって膨らむ凸状面であり、前記補助屈曲面（１５６）は反対側の側壁（１５８）に対して窪む凹状面であることを特徴とする項目（１−３）または（１−４）に記載の筐体（１１０）。
【００４３】
［項目１−６］
前記屈曲面（１５４）の延長線上であって、前記補助屈曲面（１５６）に対向する位置に設けられており、前記屈曲面（１５４）に沿って配線されるケーブル（１０）を支持し、前記補助屈曲面（１５６）に沿って配線されるケーブルを前記補助屈曲面（１５６）との間で支持する支持片（１８０）をさらに備えることを特徴とする項目（１−５）に記載の筐体（１１０）。
【００４４】
［項目１−７］
電気設備（１０００）の操作に用いられるリモコン装置（１００）であって、
項目（１−１）から（１−７）のいずれかに記載の筐体（１１０）を備えることを特徴とするリモコン装置（１００）。
【００４５】
［項目２−１］
ケーブル（１０）を介して外部の機器に接続する電子部品を収納する筐体（１１０）であって、
ケーブル（１０）が抜き差しされる接続端子（１６２）と、
前記接続端子（１６２）からケーブル（１０）を抜く方向に延びて、前記接続端子（１６２）に接続されるケーブル（１０）を収納するケーブル接続溝（１６０）とを備え、
前記ケーブル接続溝（１６０）は、ケーブル配線溝（１９０）に通じる配線開口（１７４）と、前記接続端子（１６２）に対向し、前記配線開口（１７４）より前記接続端子（１６２）から離れた位置まで形成されている窪み部（１７２）とを備えることを特徴とする筐体（１１０）。
【００４６】
［項目２−２］
前記窪み部（１７２）は、前記接続端子（１６２）から離れるほど幅が狭くなる先細り状に形成されていることを特徴とする項目（２−１）に記載の筐体（１１０）。
【００４７】
［項目２−３］
前記ケーブル接続溝（１６０）は、前記接続端子（１６２）と前記配線開口（１７４）との間に形成され、前記接続端子（１６２）に抜き差しされるケーブル（１０）を収納する端子接続部（１７０）を備え、
前記窪み部（１７２）の深さは前記端子接続部（１７０）の深さより小さいことを特徴とする項目（２−１）または（２−２）に記載の筐体（１１０）。
【００４８】
［項目２−４］
電気設備（１０００）の操作に用いられるリモコン装置（１００）であって、
項目（２−１）から（２−３）のいずれかに記載の筐体（１１０）を備えることを特徴とするリモコン装置（１００）。
【００４９】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００５０】
本実施例ではリモコン装置１００の筐体１１０について説明したが、これに限らずケーブルを介して外部の機器に接続するさまざまな電子機器の筐体に本発明を適用可能である。
【符号の説明】
【００５１】
１０  ケーブル、  １００  リモコン装置、  １１０  筐体、  １６０  ケーブル接続溝、  １６２  コネクタ端子（接続端子）、  １７０  端子接続部、  １７２  窪み部、  １７４  配線開口、  １９０  ケーブル配線溝、  １０００  電気設備。
【図１】
2018133541.tif 000003
【図２】
2018133541.tif 000004
【図３】
2018133541.tif 000005
【図４】
2018133541.tif 000006
【図５】
2018133541.tif 000007
【図６】
2018133541.tif 000008
【図７】
2018133541.tif 000009
【図８】
2018133541.tif 000010
【図９】
2018133541.tif 000011
【図１０】
2018133541.tif 000012